(57)【要約】      （修正有）【課題】片手でも容器の蓋を開閉できる様にする。【解決手段】容器の蓋の蓋開閉具１０であって、略円筒状または円錐形状の固定具外周壁と、この固定具外周壁の上端近傍から内側かつ下方に傾斜して形成される固定具内周壁とから構成される容器本体固定具２０と、外端から内方に向かって下方に傾斜する開閉体外周壁で形成される蓋開閉体３０とから構成される蓋開閉具であり、容器本体固定具の上に容器を置いて、容器の蓋の上に蓋開閉体を被せて、蓋開閉体を抑えながら回転させて蓋を開閉させる。【選択図】図１
2016041596.tif 000002
【特許請求の範囲】
【請求項１】
容器の蓋の蓋開閉具であって、略円筒状または円錐形状の固定具外周壁と、この固定具外周壁の上端近傍から内側かつ下方に傾斜して形成される固定具内周壁とから構成される容器本体固定具と、外端から内方に向かって下方に傾斜する開閉体外周壁で形成される蓋開閉体とから構成される蓋開閉具。
【請求項２】
請求項１の蓋開閉具の固定具外周壁の内側と固定具内周壁の間に空洞部を有することを特徴とする蓋開閉具。
【請求項３】
請求項１または請求項２の蓋開閉具であって、容器本体固定具の内側に、蓋開閉体を収納可能にしたことを特徴とする蓋開閉具。
【請求項４】
容器の蓋の蓋開閉具であって、略円筒形状または円錐形状の固定具外周壁と、この固定具外周壁の上端近傍から内側かつ下方に傾斜して形成される固定具内周壁と、この固定具外周壁と固定具内周壁の間に形成される空洞部とから構成され、この固定具外周壁の下端と上端はそれぞれ略平行な面内に形成されることを特徴とする蓋開閉具。
【発明の詳細な説明】
【技術分野】
【０００１】
この発明は、瓶や缶などの容器の蓋を回転させて開閉する蓋開閉具に関する。
【背景技術】
【０００２】
従来、容器の蓋が固くて開け難い際に、蓋を回転させる補助具が知られていたが、片手が不自由な人には使用が困難であった。そこで、片手が不自由な人でも使用できる次の従来技術が開示されていた。
【先行技術文献】
【特許文献】
【０００３】
【特許文献１】特開２００６−６２６９３
【発明の概要】
【発明が解決しようとする課題】
【０００４】
特許文献１の従来技術は、容器本体を食卓等の固定部材に固定して、蓋を開閉するものであるが、容器本体を固定する操作が複雑であり、蓋開閉補助具も複雑で嵩張るので、食卓や台所などに置いておくには邪魔になるという問題があった。
【課題を解決するための手段】
【０００５】
容器の蓋の蓋開閉具であって、略円筒状または円錐形状の固定具外周壁と、この固定具外周壁の上端近傍から内側かつ下方に傾斜して形成される固定具内周壁とから構成される容器本体固定具と、外端から内方に向かって下方に傾斜する開閉体外周壁で形成される蓋開閉体とから構成される蓋開閉具である。
【発明の効果】
【０００６】
上記の問題点を解決し、構造が簡単で使い勝手がよく、非使用時にも邪魔にならない蓋開閉具を提供する。
【図面の簡単な説明】
【０００７】
【図１】第一の実施例の蓋開閉具を示す斜視図である。
【図２】第一の実施例の蓋開閉具の断面図である。
【図３】第一の実施例の蓋開閉具の容器本体固定具を示す斜視図である。
【図４】第一の実施例の蓋開閉具の容器本体固定具の断面図である。
【図５】第一の実施例の蓋開閉具の蓋開閉体を示す斜視図である。
【図６】第一の実施例の蓋開閉具の蓋開閉体を示す断面図である。
【図７】第一の実施例の蓋開閉具を容器に装着した斜視図である。
【図８】第一の実施例の蓋開閉具を容器に装着し、蓋を回転しようとする斜視図である。
【図９】第一の実施例の蓋開閉具を容器に装着し、蓋を回転しようとするときの断面図である。
【図１０】第一の実施例の蓋開閉具を容器に装着し、蓋を回転しようとするときの底部・角部の断面図である。
【図１１】第二の実施例の蓋開閉具の断面図である。
【図１２】第三の実施例の蓋開閉具を示す断面図である。
【図１３】第四の実施例の蓋開閉具を示す斜視図である。
【図１４】第一の実施例の蓋開閉具の正面図、背面図、左側面図、右側面図である。
【図１５】第一の実施例の蓋開閉具の平面図である。
【図１６】第一の実施例の蓋開閉具の底面図である。
【図１７】第五の実施例の蓋開閉具の一方向拘束具を示す断面図である。
【発明を実施するための形態】
【０００８】
容器の蓋の蓋開閉具であって、略円筒状または円錐形状の固定具外周壁と、この固定具外周壁の上端近傍から内側かつ下方に傾斜して形成される逆円錐形状の固定具内周壁とから構成される容器本体固定具と、円錐形状の開閉体外周壁で形成される蓋開閉体とから構成される蓋開閉具である。
【０００９】
上記の蓋開閉具の固定具外周壁の内側と固定具内周壁の間に空洞部を有することを特徴とする蓋開閉具である。
上記の蓋開閉具であって、容器本体固定具の内側に、蓋開閉体を収納可能にしたことを特徴とする蓋開閉具である。
容器の蓋の蓋開閉具であって、略円筒形状または円錐形状の固定具外周壁と、この固定具外周壁の上端近傍から内側かつ下方に傾斜して形成される逆円錐形状の固定具内周壁と、この固定具外周壁と固定具内周壁の間に形成される空洞部とから構成され、この固定具外周壁の下端と上端はそれぞれ略平行な面内に形成されることを特徴とする蓋開閉具である。
【実施例】
【００１０】
図１、図２は、第一の実施例の蓋開閉具１０であり、容器本体固定具２０と蓋開閉体３０とで構成され、どちらもシリコンゴムなどの柔軟で弾力性のあるゴムやプラスチックで形成され、摩擦係数の大きい材料が望ましい。図３，図４に示すように、容器本体固定具２０は、円筒形状または円錐形状の固定具外周壁２２と、固定具外周壁２２の上端から下方かつ内側に傾斜した逆円錐形状の固定具内周壁２４と、固定具内周壁２４の下端につながる固定具底部２６とから構成されている。
【００１１】
固定具外周壁２２の上端と下端は、互いに略平行な面内に形成されている。また、固定具外周壁２２と固定具内周壁２４の間には空洞部２８が形成されている。そして、固定具内周壁２４の下端は、固定具外周壁２２の下端よりSだけ上方に形成されている。
図５，図６に示す蓋開閉体３０は、円錐形状の開閉体外周壁３２と開閉体頂部３４とから構成されている。開閉体外周壁３２は略円形の外端から内方に向かって下方に略逆円錐形状に傾斜して形成される。なお、ここで円錐形状、逆円錐形状とは円錐形や逆円錐を切り出した形状を意味している。
【００１２】
図１，図２に示すように、蓋開閉体３０は容器本体固定具２０の固定具内周壁２４の内側に沿って収納できるよう形成されている。即ち、容器本体固定具２０の固定具内周壁２４の内側の傾斜と大きさは、開閉体３０の開閉体外周壁３２の外側の傾斜と大きさは略同じかやや大きく形成されている。
【００１３】
このように、蓋開閉体３０を容器本体固定具２０に収納すると、容器本体固定具３０の上端と、開閉体３０の上端は略同一面上に構成される。したがって、蓋開閉具１０をコンパクトに収納することができるとともに、この状態で急須などを置く台としても利用できる。
【００１４】
図７により、蓋開閉具１０の使用方法を説明する。容器本体固定具２０の上に容器４０を置いて、容器４０の蓋４４の上に蓋開閉体３０の上下をひっくり返して被せる。そして、図８に示すように、手５０で蓋開閉体３０を抑えながら回転させ、蓋４４を開閉する。この時の断面図を図９で示し、下部・左側の詳細を図１０で示す。このとき容器本体４２は力Fで下方に押され、固定具内周壁２４を力Fで下方に押し、固定具内周壁２４はAのように変形する。このことにより、固定具内周壁２４が容器本体４２を包み込み容器本体固定具２０と容器本体４２との摩擦力は大きくなる。
【００１５】
即ち、容器本体４２が下方に押されると固定具外周壁２２が矢印Wの方向に傾斜して、固定具内周壁２４が容器本体４２の側壁を力Gで押圧する。この時の、容器本体４２と固定具内周壁２４との摩擦力Mは次の様になる。
M＝F×μ+G×μ
ここで、μは容器本体４２と固定具内周壁２４との摩擦係数である。
つまり、このような構成とすることにより、G×μだけ摩擦力が増大する効果が得られる。
ここで、固定具内周壁２４の下端とテーブル面に隙間Sがあるので、固定具外周壁２４が下方に下がり、固定具外周壁２４がW方向に倒れ、Gが大きくなる効果がある。
【００１６】
次に、容器本体固定具２０とテーブル面との摩擦トルクTを考える。固定具外周壁２２がテーブル面を押す力はFであるので、摩擦トルクTは次の様になる。
T=F×μ１×D３
ここで、D3は固定具外周壁２２の直径、μ１は固定具外周壁２２とテーブル面の摩擦係数である。
即ち、D3をD1やD2より大きくとっているので、固定具外周壁２２とテーブル面が滑り難くくなる効果を得ている。
【００１７】
次に、蓋開閉体３０と蓋４４との摩擦を考察すると、固定具内周壁２４と容器本体４２との関係と同様、開閉体外周壁３２が変形して、摩擦力を向上することができる。
また、蓋開閉体３０を手５０で回転させる力をHとすると、回転トルクLは次の様になる。
L=H×E２
ただし、E２は、手５０が蓋開閉体３０にかける力の作用点の直径である。
つまり、E２は蓋開閉具１０を用いない場合の直径E1より大きいので、大きなトルクで蓋４４を回転させることができる。
【００１８】
図１１は第二の実施例であり、蓋開閉体３０の頂部３４に係合部３６を設けて、非使用時に蓋開閉体３０を容器本体固定具２０に係合させ、不用意にバラバラにならないようにしたものである。
【００１９】
図１２は第三の実施例であり、蓋開閉体３０の凹部に埋め部材６０を挿入して蓋開閉具１０の上面を平坦にし、鍋敷きやコースターとして使用し易くしたものである。
図１３はリンゴなどの球形の果物や野菜を切るまな板として応用するもので、蓋開閉具１０の上面に溝２１を放射状に一つまたは複数設けて、包丁溝としたものである。蓋開閉体３０を脱着することにより、大小のサイズの野菜や果物に対応することができる。
このように、蓋開閉具１０は蓋開閉具として非使用時にも他の用途として利用可能なので、流し台や食卓に常時置いて活用することができる。
【００２０】
図１７は第五の実施例であり、蓋開閉具１０と容器４０の間、あるい蓋開閉具１０とテーブル面との間、または蓋開閉具１０と蓋44の間に蓋を開ける方向には摩擦抵抗が大きく、反対方向には摩擦抵抗が少ない図のような一方向拘束部を設けたものである。
【産業上の利用可能性】
【００２１】
この発明の蓋開閉具は、蓋開閉具としてだけでなく、急須などを卓上に置く際の敷物としても利用可能である。
【符号の説明】
【００２２】
１０は蓋開閉具
２０は容器本体固定具
２１は溝
２２は固定具外周壁
２４は固定具内周壁
２６は固定具底部
２８は空洞部
３０は蓋開閉体
３２は開閉体外周壁
３４は開閉体頂部
４０は容器
４２は容器本体
４４は蓋
５０は手
６０は埋め部材
【図１】
2016041596.tif 000003
【図２】
2016041596.tif 000004
【図３】
2016041596.tif 000005
【図４】
2016041596.tif 000006
【図５】
2016041596.tif 000007
【図６】
2016041596.tif 000008
【図７】
2016041596.tif 000009
【図８】
2016041596.tif 000010
【図９】
2016041596.tif 000011
【図１０】
2016041596.tif 000012
【図１１】
2016041596.tif 000013
【図１２】
2016041596.tif 000014
【図１３】
2016041596.tif 000015
【図１４】
2016041596.tif 000016
【図１５】
2016041596.tif 000017
【図１６】
2016041596.tif 000018
【図１７】
2016041596.tif 000019